(57)【要約】【課題】蓄積した複数のジョブのうち、完了ジョブと未完了ジョブとを表示画面に同時に表示させることができる画像形成装置を提供すること。【解決手段】画像処理装置１は、未完了ジョブ記憶部２３Ａに記憶した未完了ジョブと、完了ジョブ記憶部２３Ｂに記憶した完了ジョブとを、それぞれ実行する順番に同時に液晶表示部４１に表示させる。【選択図】図１４
2008160813.tif 000002
【特許請求の範囲】
【請求項１】
画像情報を出力先に出力するためのジョブを実行可能な画像処理装置において、
実行前の未完了ジョブを記憶する第１記憶手段と、
その第１記憶手段に記憶された未完了ジョブを実行した後、その実行後のジョブを完了ジョブとして記憶する第２記憶手段と、
前記第１記憶手段に記憶された未完了ジョブと前記第２記憶手段に記憶された完了ジョブとをそれぞれ実行する順序に表示画面に同時に表示させる第１表示制御手段と、
を備えたことを特徴とする画像処理装置。
【請求項２】
画像情報を出力先に出力するためのジョブを実行可能な画像処理装置において、
実行前の未完了ジョブを記憶する第１記憶手段と、
その第１記憶手段に記憶された未完了ジョブを実行した後、その実行後のジョブを完了ジョブとして記憶する第２記憶手段と、
前記出力先を複数記憶する第３記憶手段と、
前記第３記憶手段に記憶された複数の出力先のうち一つ以上の出力先を指定する指定手段と、
前記第３記憶手段に記憶された複数の出力先と、前記指定手段により指定された出力先とを表示画面に同時に表示させる第２表示制御手段と、
前記第２表示制御手段により前記表示画面に表示された、前記指定手段により指定された出力先を前記未完了ジョブとして前記第１記憶手段に記憶し、前記第２表示制御手段による表示後にその第１記憶手段に記憶された未完了ジョブと前記第２記憶手段に記憶された完了ジョブとをそれぞれ実行する順序に表示画面に同時に表示させる第１表示制御手段と、を備えたことを特徴とする画像処理装置。
【請求項３】
前記第１表示制御手段により前記表示画面に表示された前記未完了ジョブの実行する順序を変更する変更手段を備えたことを特徴とする請求項１または２に記載の画像処理装置。
【請求項４】
前記完了ジョブを再度実行する再実行手段を備え、
その再実行手段は、前記完了ジョブを再実行する際に、前回実行されたジョブは間違いである旨の情報を付加して再実行することを特徴とする請求項１〜３のいずれか１項に記載の画像処理装置。
【請求項５】
前記未完了ジョブの実行を中止する中止手段を備えたことを特徴とする請求項１〜４のいずれか１項に記載の画像処理装置。
【請求項６】
前記第１表示制御手段は、前記表示画面を複数の領域に分割し、その分割された第１の領域に前記未完了ジョブを表示し、前記第１の領域とは異なる第２の領域に前記完了ジョブを表示することを特徴とする請求項１〜５のいずれか１項に記載の画像処理装置。
【請求項７】
前記第１の領域と第２の領域とは、隣接していることを特徴とする請求項６に記載の画像処理装置。
【請求項８】
前記表示画面は、矩形状に形成され、
前記第１の領域は、前記矩形状の長手方向を２等分した一方の領域であり、
前記第２の領域は、前記矩形状の長手方向を２等分した他方の領域であることを特徴とする請求項６または７に記載の画像処理装置。
【請求項９】
前記第１表示制御手段は、前記第１の領域と前記第２の領域とを同一のサイズで表示することを特徴とする請求項６〜８のいずれか１項に記載の画像処理装置。
【請求項１０】
前記第１表示制御手段または前記第２表示制御手段は、前記指定手段、前記変更手段、前記再実行手段または前記中止手段の対象となる前記ジョブまたは前記出力先の表示される領域を、他の領域より広く表示することを特徴とする請求項２〜９のいずれか１項に記載の画像処理装置。
【請求項１１】
画像情報を出力先に出力するためのジョブを実行可能な画像処理装置において、
出力する出力先を複数記憶する第３記憶手段と、
前記第３記憶手段に記憶された複数の出力先のうち一つ以上の出力先を指定する指定手段と、
前記第３記憶手段に記憶された複数の出力先と、前記指定手段により指定された出力先とを表示画面に同時に表示させる第２表示制御手段と、を備え、
前記指定手段により指定された出力先に前記画像情報を出力させることを特徴とする画像処理装置。
【発明の詳細な説明】
【技術分野】
【０００１】
本発明は、画像情報を出力先に出力するためのジョブを実行可能な画像処理装置に関し、特に異なる二つの画面を同時に表示することができる画像処理装置に関する。
【背景技術】
【０００２】
従来、コピー、ファクシミリ、プリンタ、およびスキャナ機能を一体に備える画像処理装置において各機能を実行する場合、スキャナやネットワークを介して入力される画像情報は、出力先を指定した後にジョブとして一旦メモリに記憶され、順次出力されていた。このようなジョブが多数蓄積される場合、ユーザは指定したジョブの順番を確認したり、ジョブの実行結果を確認したりするために、画像処理装置に備える表示画面にて各ジョブの実行状況を表示させていた。例えば、ジョブの完了・発生の状態をユーザが見ているページに実時間的に表示するジョブ表示装置が開示されている（特許文献１）。
【特許文献１】特開２００２−３６８９２７号公報
【発明の開示】
【発明が解決しようとする課題】
【０００３】
しかしながら、特許文献１におけるジョブ表示装置は、未完了ジョブまたは完了ジョブのどちらか一方のみを表示するので、一つの画像情報に対して複数の出力先を指定した際に、既に出力済みの出力先とまだ出力されていない出力先とをそれぞれ別の画面で確認しなければならず、画面の切替に手間がかかるという問題があった。
【０００４】
本発明は上記の課題を鑑みてなされたものであり、操作性と作業効率を向上させた画像処理装置を提供することを目的とする。
【課題を解決するための手段】
【０００５】
この目的を達成するために、請求項１に記載の画像処理装置は、実行前の未完了ジョブを記憶する第１記憶手段と、その第１記憶手段に記憶された未完了ジョブを実行した後、その実行後のジョブを完了ジョブとして記憶する第２記憶手段と、前記第１記憶手段に記憶された未完了ジョブと前記第２記憶手段に記憶された完了ジョブとをそれぞれ実行する順序に表示画面に同時に表示させる第１表示制御手段と、を備えたことを特徴とする。
【０００６】
請求項２に記載の画像処理装置は、画像情報を出力先に出力するためのジョブを実行可能なものを対象として、特に、実行前の未完了ジョブを記憶する第１記憶手段と、その第１記憶手段に記憶された未完了ジョブを実行した後、その実行後のジョブを完了ジョブとして記憶する第２記憶手段と、前記出力先を複数記憶する第３記憶手段と、前記第３記憶手段に記憶された複数の出力先のうち一つ以上の出力先を指定する指定手段と、前記第３記憶手段に記憶された複数の出力先と、前記指定手段により指定された出力先とを表示画面に同時に表示させる第２表示制御手段と、前記第２表示制御手段により前記表示画面に表示された、前記指定手段により指定された出力先を前記未完了ジョブとして前記第１記憶手段に記憶し、前記第２表示制御手段による表示後にその第１記憶手段に記憶された未完了ジョブと前記第２記憶手段に記憶された完了ジョブとをそれぞれ実行する順序に表示画面に同時に表示させる第１表示制御手段と、を備えたことを特徴とする。
【０００７】
請求項３に記載の画像処理装置は、請求項１または２に記載の画像処理装置において、前記第１表示制御手段により前記表示画面に表示された前記未完了ジョブの実行する順序を変更する変更手段を備えたことを特徴とする。
【０００８】
請求項４に記載の画像処理装置は、請求項１〜３のいずれか１項に記載の画像処理装置において、前記完了ジョブを再度実行する再実行手段を備え、その再実行手段は、前記完了ジョブを再実行する際に、前回実行されたジョブは間違いである旨の情報を付加して再実行することを特徴とする。
【０００９】
請求項５に記載の画像処理装置は、請求項１〜４のいずれか１項に記載の画像処理装置において、前記未完了ジョブの実行を中止する中止手段を備えたことを特徴とする。
【００１０】
請求項６に記載の画像処理装置は、請求項１〜５のいずれかに記載の画像処理装置において、前記第１表示制御手段は、前記表示画面を複数の領域に分割し、その分割された第１の領域に前記未完了ジョブを表示し、前記第１の領域とは異なる第２の領域に前記完了ジョブを表示することを特徴とする。
【００１１】
請求項７に記載の画像処理装置は、請求項６に記載の画像処理装置において、前記第１の領域と第２の領域とは、隣接していることを特徴とする。
【００１２】
請求項８に記載の画像処理装置は、請求項６または７に記載の画像処理装置において、前記表示画面は、矩形状に形成され、前記第１の領域は、前記矩形状の長手方向を２等分した一方の領域であり、前記第２の領域は、前記矩形状の長手方向を２等分した他方の領域であることを特徴とする。
【００１３】
請求項９に記載の画像処理装置は、請求項６〜８のいずれか１項に記載の画像処理装置において、前記第１表示制御手段は、前記第１の領域と前記第２の領域とを同一のサイズで表示することを特徴とする。
【００１４】
請求項１０に記載の画像処理装置は、請求項２〜９のいずれか１項に記載の画像処理装置において、前記第１表示制御手段または前記第２表示制御手段は、前記指定手段、前記変更手段、前記再実行手段または前記中止手段の対象となる前記ジョブまたは前記出力先の表示される領域を、他の領域より広く表示することを特徴とする。
【００１５】
請求項１１に記載の画像処理装置は、画像情報を出力先に出力するためのジョブを実行可能なものを対象として、特に、出力する出力先を複数記憶する第３記憶手段と、前記第３記憶手段に記憶された複数の出力先のうち一つ以上の出力先を指定する指定手段と、前記第３記憶手段に記憶された複数の出力先と、前記指定手段により指定された出力先とを表示画面に同時に表示させる第２表示制御手段と、を備え、前記指定手段により指定された出力先に前記画像情報を出力させることを特徴とする。
【発明の効果】
【００１６】
請求項１に係る画像処理装置によれば、第１表示制御手段は、第１記憶手段に記憶された未完了ジョブと第２記憶手段に記憶された完了ジョブとをそれぞれ実行する順序に表示画面に同時に表示させるため、画像処理装置に蓄積されたジョブの実行状況をリアルタイムに一度に確認することができる。特に、一つの画像情報に対して複数の出力先を指定した際には、既に出力済みの出力先とまだ出力されていない出力先とを同時に確認することができるため、有効である。さらに、ジョブの実行を失敗し再実行する際に、その旨がリアルタイムに確認でき、操作性上非常に有効である。
【００１７】
請求項２に係る画像処理装置によれば、第２表示制御手段は、第３記憶手段に記憶された複数の出力先と、前記指定手段により指定された出力先とを表示画面に同時に表示させるため、ユーザは記憶された複数の出力先を参照しながらジョブの出力先を指定し、同時にその指定した出力先を確認することができる。また、第１表示制御手段は、前記指定手段により指定された出力先を前記未完了ジョブとして前記第１記憶手段に記憶し、前記第２表示制御手段による表示後にその第１記憶手段に記憶された未完了ジョブと前記第２記憶手段に記憶された完了ジョブとをそれぞれ実行する順序に表示画面に同時に表示させるため、ジョブの出力先を指定した直後にそのジョブの実行する順番や実行状況を確認することができる。
【００１８】
請求項３に係る画像処理装置は、請求項１または２に記載の画像処理装置における効果に加えて、変更手段は、前記第１表示制御手段により前記表示画面に表示された前記未完了ジョブの実行する順序を変更するため、完了ジョブを参照してジョブの実行状況を確認しながら未完了ジョブの実行する順序を変更することができる。特に、優先して実行したいジョブが複数ある際に、その複数のジョブのうち、完了ジョブを確認しながら、未完了ジョブの順序を変更することができる。
【００１９】
請求項４に係る画像処理装置は、請求項１〜３のいずれか１項に記載の画像処理装置における効果に加えて、再実行手段が、完了ジョブを再実行する際に、前回実行されたジョブは間違いである旨の情報を付加して再実行するので、再実行されたジョブの記録情報を入手した者は、前回実行されたジョブの情報が間違いであることを認識でき、前回実行されたジョブの記録情報をすみやかに廃棄等することができる。
【００２０】
請求項５に係る画像処理装置は、請求項１〜４のいずれか１項に記載の画像処理装置における効果に加えて、中止手段が前記未完了ジョブの実行を中止するので、特に入力された一つの画像情報に対して複数の出力先を指定していた場合に、ジョブを完了してしまった出力先と未完了の出力先を確認しながら、未完了の出力先に対してジョブの実行を停止することができる。従って、前回入力した画像情報を廃棄等し、新たな画像情報を再度出力する場合、すみやかに再度出力する出力先の指定を行うことができる。特に、請求項４に記載の画像処理装置と組み合わせた場合、ユーザは、完了ジョブに対する再実行指示を行うと同時に未完了ジョブに対する中止指示を同一の画面で行うことができ、作業効率の向上という点で極めて有効である。
【００２１】
請求項６〜９に係る画像処理装置は、請求項１〜５のいずれか１項に記載の画像処理装置における効果に加えて、前記未完了ジョブと完了ジョブをより効果的に表示させており、両者の比較がしやすい。
【００２２】
請求項１０に係る画像処理装置は、請求項２〜９のいずれか１項に記載の画像処理装置における効果に加えて、出力先の指定、未完了ジョブの実行順序の変更、完了ジョブの再実行、未完了ジョブの実行中止の操作が行いやすくなる。
【００２３】
請求項１１に係る画像処理装置によれば、第２表示制御手段は、第３記憶手段に記憶された複数の出力先と、前記指定手段により指定された出力先とを表示画面に同時に表示させるため、ユーザは記憶された複数の出力先を参照しながらジョブの出力先を指定し、同時にその指定した出力先を確認することができる。
【００２４】
ジョブがファクシミリ送信機能を有するジョブであり、または、ファクシミリ同報送信機能を有するジョブであると、特に遠隔地の出力先に対して有効な効果を奏することができる。
【発明を実施するための最良の形態】
【００２５】
以下、本発明の好ましい実施形態について、添付図を参照して説明する。図１は、本発明の実施形態に係る画像処理装置１の外観構成を示すものである。画像処理装置１は、下部にプリンタ部２を、上部にスキャナ部３を一体的に備えた多機能装置である。
【００２６】
つまり、画像処理装置１は、ネットワークを介してＰＣから画像データを受信し、プリンタ部２により受信した画像データを印刷するネットワークプリンタとしての機能と、スキャナ部３により読み込んだ画像データを、ＰＣに送信するスキャナとしての機能と、スキャナ部３により読み込んだ画像データを、他のＦＡＸ端末（図示せず）に送信し、逆に、他のＦＡＸ端末から送られてきた画像データを受信してプリンタ部２により印刷するＦＡＸ装置としての機能と、スキャナ部３により読み込んだ画像データをプリンタ部２により印刷するコピー装置としての機能とを一体に含んでいる。
【００２７】
画像処理装置１の正面上部には、プリンタ部２やスキャナ部３を操作する操作パネル部４が設けられている。操作パネル部４は、各種操作キー４０や液晶表示部４１から構成されている。画像処理装置１は、操作パネル部４からの操作指示に基づいて動作する。画像処理装置１の上部には、自動搬送装置（ＡＤＦ）５が備えられている。ＡＤＦ５は、ここにセットされた複数枚の原稿用紙を順次スキャナ部３に搬送し、スキャナ部３により読み取り終わった原稿を排出する。
【００２８】
図２は、操作パネル部４の構成を示す平面図である。図２に示すように、操作パネル部４は、各種操作キー４０Ａ〜４０Ｇと液晶表示部４１とを具備する。図２に示すように、液晶表示部４１は、平面視が横長矩形である。操作キーは、液晶表示部４１の周囲に設けられ、操作パネルの右端側に設けられた操作キー４０Ａ〜Ｆと、操作パネルの左端側に設けられたテンキー４０Ｇとに大別される。
【００２９】
モードキー４０Ａは、画像形成装置１の有するスキャナ機能、ＦＡＸ機能及びコピー機能を設定することができるモードを切替えるために用いられる。カーソルキー４０Ｂは、表示画面上で指示や操作の対象の位置を移動させるのに用いられる。停止/終了キー４０Ｃは、操作を中止するときや設定を終了するときに用いられ、さらに、本実施形態では、未完了ジョブの中止を行う際に用いられる。スタートキー４０Ｄは、原稿をコピーまたはスキャンするときに用いられる。スタートキー４０Ｄの一方のキーは、押下するとカラーコピーまたはカラースキャンを開始するものであり、他方のキーは、押下するとモノクロコピーまたはモノクロスキャンを開始するものである。さらにスタートキー４０Ｄは、本実施形態では完了したＦＡＸジョブを再送する際に用いられる。クリア/バックキー４０Ｅは、設定内容をキャンセルしたり、文字を入力しているときには、カーソル位置の文字を消去したりするのに用いられる。決定キー４０Ｆは、機能を設定するときや設定した機能を確定するときに用いられる。テンキー４０Ｇは、０から９までの１０個の数字キーと、＊と＃の２つのキーの合計１２個の符号キーにより構成されている。
【００３０】
図３は、本発明の実施形態に係る画像処理装置１の制御部２０の構成を示す図である。制御部２０は、プリンタ部２、スキャナ部３及び操作パネル部４を含む画像処理装置１の動作を統括的に制御するものである。制御部２０は、図３に示すように、ＣＰＵ（Central   Processing  Unit）２１（指定手段、変更手段、再実行手段、中止手段）、ＲＯＭ（Read  Only  Memory）２２、ＲＡＭ（Random  Access  Memory）２３を主とするマイクロコンピュータとして構成されており、バス２５を介してＡＳＩＣ（Application  Specific  Integrated  Circuit）２６に接続されている。
【００３１】
ＲＯＭ２２には、プリンタ機能、スキャナ機能、ＦＡＸ機能、およびコピー機能などをそれぞれ制御する各種制御プログラムや制御プログラムで用いられる定数やテーブルなどが記憶されている。ＲＯＭ２２の中には、ジョブ処理機能を制御するジョブ処理プログラム５０が記憶されており、詳しくは後述するが、ＣＰＵ２１がこのプログラムに従って、ジョブの受付、ジョブの実行、ジョブの順序変更、ジョブの再実行、及びジョブの中止等を行う。
【００３２】
ＲＡＭ２３は、ランダムにアクセス可能なメモリであり、ＣＰＵ２１が制御プログラムを実行する際に、変数やパラメータなどを一時記憶するワークエリアと、ジョブ処理プログラム５０により処理される未完了ジョブを記憶する未完了ジョブ記憶部２３Ａ（第１記憶手段）と、未完了ジョブを実行した後のジョブを完了ジョブとして記憶する完了ジョブ記憶部２３Ｂ（第２記憶手段）と、ＦＡＸデータやスキャンデータの出力先である電話番号やアドレス等が予めデータとして記憶されている出力先記憶部２３Ｃ（第３記憶手段）で構成されている。
【００３３】
ＡＳＩＣ２６は、ＣＰＵ２１からの指令に従い、プリンタ部２及びスキャナ部３の動作制御を行う。プリンタ部２及びスキャナ部３及については、詳細な説明は省略するが、プリンタ部２を駆動するモータやインクジェット記録ヘッド、スキャナ部３を駆動するモータや画像読取ユニット等の動作が制御部２０により制御される。
【００３４】
ＡＳＩＣ２６には、画像処理装置１に所望の指令を入力する操作キー４０を制御するパネルゲートアレイ（パネルＧＡ）２７が接続されている。パネルＧＡ２７は、操作キー４０の押下を検出して、所定のキーコードを出力する。このキーコードは、複数の操作キー４０に対応して割り当てられている。ＣＰＵ２１は、パネルＧＡ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００３５】
ＡＳＩＣ２６には、液晶表示部４１の画面表示を制御するＬＣＤコントローラ２８（第１表示制御手段、第２表示制御手段）が接続されている。ＬＣＤコントローラ２８は、ＣＰＵ２１の指令に基づいて、液晶表示部４１にプリンタ部２又はスキャナ部３の動作に関する情報や、出力先情報、未完了ジョブおよび完了ジョブを表示させる。
【００３６】
ＣＰＵ２１は液晶表示部４１に表示させる表示画面を示す情報を図示しない表示メモリに記憶させる。表示メモリはＲＧＢ３原色にそれぞれ対応している。
【００３７】
また、ＡＳＩＣ２６には、コンピュータとパラレルケーブル又はＵＳＢケーブルとを介してデータの送受信を行うためのパラレルインタフェース（Ｉ/Ｆ）２９及びＵＳＢ端子３３が接続されている。さらに、ＡＳＩＣ２６には、ＦＡＸ機能を実現するためのＮＣＵ（Network  Control  Unit）３１やモデム３２が接続されている。
【００３８】
次に、ジョブ処理プログラム５０について図４を参照して説明する。図４は、ジョブ処理プログラム５０の全体の処理を示すフローチャートであって、各ステップにおいてジョブの受付、ジョブの順序変更、ジョブの再実行、ジョブの中止及びジョブの実行を行う。
【００３９】
まず、ユーザが操作パネル４のモードキー４０Ａを押下すると、パネルＧＡ２７が、押下されたキーがスキャナ、ＦＡＸ、またはコピーのいずれのモードキーであるかを検出し、押下されたモードキーに応じたキーコードをＣＰＵ２１に送信する。ＣＰＵ２１は、パネルＧＡ２７からキーコードを受信すると、各モードに対するジョブの受付を開始する（ステップ１（以下Ｓ１と記す））。ジョブの受付処理について詳しくは後述するが、受付けられたジョブは、未完了ジョブとして未完了ジョブ記憶部２３Ａ（図３参照）に記憶される。
【００４０】
次に、ＣＰＵ２１は、未完了ジョブに対する実行順序の変更があるか否かを判断する（Ｓ２）。ユーザが操作パネル４に備えられた図示しない変更キーを押下すると、ＣＰＵ２１は未完了ジョブに対する実行順序の変更があると判断し（Ｓ２，ｙｅｓ）、ジョブ順序変更を行う（Ｓ３）。このジョブ順序変更処理について詳しくは後述する。一方、ユーザが変更キーを押下しないと、ＣＰＵ２１は、未完了ジョブに対する実行順序の変更がないと判断し（Ｓ２，ｎｏ）、未完了ジョブに対する中止があるか否かを判断する（Ｓ４）。
【００４１】
次に、ユーザが操作パネル４に備えられた図示しない中止キーを押下すると、ＣＰＵ２１は、未完了ジョブに対する中止があると判断し（Ｓ４，ｙｅｓ）、ジョブ中止を行う（Ｓ５）。このジョブ中止処理について詳しくは後述する。一方、ユーザが中止キーを押下しないと、ＣＰＵ２１は、未完了ジョブに対する中止がないと判断し（Ｓ４，ｎｏ）、ＣＰＵ２１は、完了したジョブに対して再実行するか否かを判断する（Ｓ６）。本実施形態の場合、完了したジョブに対する再実行とは、例えば送信済みのＦＡＸを再送することをさす。続いて、ユーザが操作パネルに備えられた図示しない再実行キーを押下すると、ＣＰＵ２１は、ＦＡＸの再送があると判断し、（Ｓ６，ｙｅｓ）、ＦＡＸの再送を行う（Ｓ７）。ＦＡＸ再送処理について詳しくは後述する。一方、ユーザが再実行キーを押下しないと、ＣＰＵ２１は、ＦＡＸの再送がないと判断し（Ｓ６，ｎｏ）、未完了ジョブの実行を開始する（Ｓ８）。このとき、未完了ジョブがスキャナであれば、指定されたＰＣへの送信動作を、未完了ジョブがＦＡＸであれば、指定された他のＦＡＸ端末への送信動作を、未完了ジョブがプリントまたはコピーであれば、印刷動作を行う。以降、ＣＰＵ２１は、Ｓ１〜Ｓ８を繰り返して実行する。
【００４２】
続いて、図４のＳ１におけるジョブ受付処理について図５、図６、図１１〜１３を参照して説明する。図５は、ジョブの受付処理を示すフローチャートである。図６は、ＦＡＸの送信先受付処理を示すフローチャートである。図１１は、予め送信先記憶部２３Ｃに記憶された電話帳データからＦＡＸの送信先を選択する際の液晶表示部４１の表示画面である。図１２は、電話帳データから１つのＦＡＸの送信先を選択した後の液晶表示部４１の表示画面である。図１３は、電話帳データから複数のＦＡＸの送信先を選択した後の液晶表示部４１の表示画面である。
【００４３】
まず、ＣＰＵ２１は、操作パネル４上のモードキー４０Ａが押下されたか否かを判断する（図５、Ｓ１１）。ＣＰＵ２１は、モードキー４０Ａが押下されていないと判断すると（Ｓ１１，ｎｏ）、ネットワークを介してＰＣから画像データを受信したか否かを判断する（Ｓ２２）。ＣＰＵ２１は、画像データを受信したと判断すると（Ｓ２２，ｙｅｓ）、そのデータを印刷するようにプリントジョブを指定する（Ｓ２３）。一方、ＣＰＵ２１は、画像データを受信していないと判断すると（Ｓ２２，ｎｏ）、ジョブの受付処理を終了し、図４に示す処理に戻る。
【００４４】
一方、ＣＰＵ２１は、モードキー４０Ａが押下されたと判断すると（Ｓ１１，ｙｅｓ）、パネルＧＡ２７が、押下されたキーがスキャナ、ＦＡＸ、またはコピーのいずれのモードキーであるかを検出し、ＣＰＵ２１に伝える。ＣＰＵ２１は、各モードに対するジョブの受付を開始する。例えば、ユーザがコピーのモードキーを押下すると（Ｓ１２）、コピーモードに切り替わり、ユーザは画質、拡大縮小倍率、記録用紙タイプ、印刷部数等のコピー設定を行うことができる（Ｓ１３）。その後、ユーザがスタートキー４０Ｄを押下するとコピージョブが指定される（Ｓ１４）。
【００４５】
また、ユーザがスキャナのモードキーを押下すると（Ｓ１９）、スキャナモードに切り替わり、ユーザはスキャンした画像データを保存するパソコンの指定等のスキャナ設定を行うことができる（Ｓ２０）。その後、ユーザがスタートキー４０Ｄを押下するとスキャナジョブが指定される（Ｓ２１）。
【００４６】
また、ユーザがＦＡＸのモードキーを押下すると（Ｓ１５）、ＦＡＸモードに切り替わり、ユーザはＦＡＸの送信先の設定（Ｓ１６）や、画質等を設定することができる（Ｓ１７）。その後、ユーザがスタートキー４０Ｄを押下するとＦＡＸジョブが指定される（Ｓ１８）。ここで、ユーザがＦＡＸのモードキーを押下した際の画面表示について、図６および図１１を参照して説明する。
【００４７】
まず、電話帳データを参照するための操作がされたか否かが判断される（図６、Ｓ３１）。ＣＰＵ２１は、ユーザが操作をしたと判断した場合（Ｓ３１，ｙｅｓ）、出力先記憶部２３Ｃに記憶された電話帳データを呼び出し、液晶表示部４１に表示するようにＬＣＤコントローラ２８に指示をする。ＬＣＤコントローラ２８は、ＣＰＵ２１の指令に基づいて、図１１のように液晶表示部４１に出力先記憶部２３Ｃに記憶された電話帳データとＦＡＸの送信先データとを同時に表示させる（Ｓ３２）。図１１において、電話帳データの「加賀  ▼▼」の画面の地の色が異なっているのは、カーソルの位置を示しており、操作の対象となっていることを示している。
【００４８】
次に、ユーザはカーソルキー４０Ｂの上下ボタンを押下して、カーソルを移動させ、電話帳データのうちＦＡＸ送信先として指定したいデータを選択した後（Ｓ３３）、決定キー４０Ｆを押下した場合は（Ｓ３４，ｙｅｓ）、図１２に示すようにＦＡＸの送信先データ欄にＦＡＸ送信先を表示する（Ｓ３７）。一方、ユーザが決定キー４０Ｆを押下しない場合は（Ｓ３４，ｎｏ）、電話帳データ選択の処理を繰り返す（Ｓ３３）。
【００４９】
次に、ＣＰＵ２１は、ユーザがカーソルキー４０Ｂの左右ボタンを押下して、カーソルを電話帳データ表示欄から送信先データ表示欄へ移動させたか否かを判断する（Ｓ３８）。移動させていないと判断された場合は（Ｓ３８，ｎｏ）、続いてＦＡＸ送信先を指定するか否かを判断する（Ｓ４２）。ユーザがカーソルキー４０Ｂを押下して、カーソルを電話帳データ欄内で移動させた場合、ＣＰＵ２１は新たなＦＡＸ送信先があると判断し（Ｓ４２，ｙｅｓ）、電話帳からＦＡＸ送信先を選択する処理へ進む（Ｓ３３）。このようにして複数のＦＡＸ送信先を指定すると、図１３に示すように、ＦＡＸ送信先データ欄に複数の送信先データが表示される。一方、ユーザが決定キー４０Ｆを押下すると（Ｓ４２，ｎｏ）、ＦＡＸの送信先が確定し、送信先受付処理を終了する。
【００５０】
本実施形態では、一度指定したＦＡＸ送信先を取り消すことができる。ユーザは、指定したＦＡＸ送信先を取り消したいと望むとき、カーソルキー４０Ｂの左右ボタンを押下して、カーソルを電話帳データ表示欄から送信先データ表示欄へ移動させた後（Ｓ３８，ｙｅｓ）、クリア/バックキー４０Ｅを押下すると（Ｓ３９，ｙｅｓ）、カーソルが位置していた送信先データを消去する（Ｓ４０）。そのときＣＰＵ２１は、ＬＣＤコントローラ２８を駆動して、送信先データ表示欄から送信先データを削除する。一方、ユーザがクリア/バックキー４０Ｅを押下しないと（Ｓ３９，ｎｏ）、ＦＡＸ送信先の選択へ戻る（Ｓ３８）。
【００５１】
その後、ＦＡＸ送信先を続けて取り消すか否かを判断する（Ｓ４１）。ユーザがカーソルキー４０Ｂを押下して、カーソルをＦＡＸ送信先データ欄に移動させた場合、ＦＡＸの送信先の取り消しを繰り返し行うと判断し（Ｓ４１，ｙｅｓ）、ＦＡＸ送信先の選択に戻る（Ｓ３８）。ユーザがカーソルキー４０Ｂを押下して、カーソルを電話帳データ欄に移動させた場合、ＦＡＸの送信先の取り消しを繰り返し行なわないと判断し（Ｓ４１，ｎｏ）、Ｓ４２へ進む。
【００５２】
また、本実施形態では、ユーザはテンキー４０Ｇを押下して相手先の電話番号等を直接入力してＦＡＸ送信先を指定することができる。図６のＳ３１にて、ユーザが電話帳を参照する操作を行わないと（Ｓ３１，ｎｏ）、テンキー４０Ｇを押下したか否かが判断される（Ｓ３５）。テンキー４０Ｇが押下されないと（Ｓ３５，ｎｏ）、電話帳を参照するか否かの判断に戻る（Ｓ３１）。一方、テンキー４０Ｇが押下されると（Ｓ３５，ｙｅｓ）、決定キー４０Ｆが押下されたか否かが判断される（Ｓ３６）。決定キー４０Ｆが押下されたと判断されると（Ｓ３６，ｙｅｓ）、ＦＡＸ送信先が表示され（Ｓ３７）、押下されなかったと判断されると（Ｓ３６，ｎｏ）、電話帳を参照するか否かの判断に戻る（Ｓ３１）。
【００５３】
以上のようにしてＦＡＸ送信先を指定した後、画質等のＦＡＸ設定を行う（図５、Ｓ１７）。その後ユーザがスタートキー４０Ｄを押下すると、ＦＡＸジョブか指定される（Ｓ１８）。
【００５４】
このようにしてジョブを指定した後、ＣＰＵ２１は、指定したジョブを未完了ジョブとして未完了ジョブ記憶部２３Ａに記憶させた後（Ｓ２４）、未完了ジョブ記憶部２３Ａおよび完了ジョブ記憶部２３Ｂに記憶された未完了ジョブと完了ジョブとを読み出すと同時に、ＬＣＤコントローラ２８を駆動させて、図１４に示すように液晶表示部４１に未完了ジョブと完了ジョブを同時に表示させ（Ｓ２５）、図４に示す処理に戻る。図１４は、Ｓ１３において未完了ジョブと完了ジョブを同時に表示させた液晶表示部４１の表示画面の１例である。また、コピージョブあるいはスキャナジョブを指定した場合も同様に、指定したジョブを未完了ジョブとして未完了ジョブ記憶部２３Ａに記憶された後、未完了ジョブと完了ジョブとが同時に表示される。
【００５５】
図１４に示された未完了ジョブは、ジョブの実行順序に従って順番に表示されている。先ほど指定したＦＡＸの同報送信（同じＦＡＸ原稿を複数の送信先に送信するジョブ）のジョブの場合、図１４の未完了ジョブの表示欄に示すように、送信先ごとにジョブを表示する。従って、どこの送信先に何件ＦＡＸを送るのかが容易に確認できる。また、完了ジョブについては、ジョブの実行が完了した順に表示されている。
【００５６】
ここで、図４のＳ８のジョブの実行処理について図１０、図１４、図１５を参照して説明する。ジョブ実行は、図４に示すように、ジョブの順序変更や、ジョブの実行中止、ＦＡＸ再送の処理が終わった後に実行される。図１０は、未完了ジョブの実行処理を示すフローチャートである。図１５は、ジョブ実行処理時の液晶表示部４１の表示画面である。
【００５７】
まず、ＣＰＵ２１は、実行待ちの未完了ジョブがあるか否かを判断する（Ｓ８０）。ＣＰＵ２１は、未完了ジョブがないと判断すると（Ｓ８０，ｎｏ）、ジョブ実行処理を終了し、図４に示す処理に戻る。一方、ＣＰＵ２１は、未完了ジョブがあると判断すると（Ｓ８０，ｙｅｓ）、ジョブの実行を開始する（Ｓ８１）。例えば、ＣＰＵ２１は、図１４の未完了ジョブの表示欄の「１  ＦＡＸ  江川」の実行を開始すると（Ｓ８１）、ＬＣＤコントローラ２８を駆動して、図１４に示すように、「１  ＦＡＸ  実行中  江川」という表示と、複数の矢印を表示させる。これら矢印は、ジョブの実行が進むにつれて一つずつ色が変化するので、ユーザはジョブの実行状況を視覚的に確認することができる。
【００５８】
続いて、ＣＰＵ２１は、「１  ＦＡＸ  江川」の実行が成功したか否かを判断し（図１０、Ｓ８２）、成功したと判断すると（Ｓ８２．ｙｅｓ）、ＣＰＵ２１は、実行に成功したジョブを未完了ジョブ記憶部２３Ａから削除し（Ｓ８３）、完了ジョブとして完了ジョブ記憶部２３Ｂに記憶するとともに（Ｓ８４）、ＬＣＤコントローラ２８を駆動して、完了ジョブの一覧に実行したジョブを表示させる。同時に、未完了ジョブの一覧から実行したジョブの表示を削除し、他の未完了ジョブの順位を一つずつ繰り上げて表示させる（Ｓ８６）。
【００５９】
一方、ＣＰＵ２１がジョブの実行が成功していないと判断した場合には（Ｓ８２，ｎｏ）、ＣＰＵ２１は、未完了ジョブ記憶部２３Ａに前記ジョブをリトライさせる旨を記憶させる（Ｓ８５）。続いて、ＣＰＵ２１は、ＬＣＤコントローラ２８を駆動して、図１５の未完了ジョブの一覧に示された「２  ＦＡＸ  再１  江川○」のように、実行に失敗したＦＡＸをリトライする表示をさせ（Ｓ８６）、ジョブ実行処理を終了して図４に示す処理に戻る。
【００６０】
ここで、図１５の「再１」の表示は不達によるリトライ待ちが１回目であることを示している。このような不達によるリトライ待ちのジョブの順序は、本実施形態のように、次に実行するジョブのひとつ後になるように自動的に順序を入れ替えてもよいし、実行待ちの未完了ジョブの最後になるように順序を入れ替えてもよい。本実施形態では、リトライ待ちのジョブは次に実行するジョブのひとつ後に挿入するものとする。
【００６１】
このように、本実施形態の画像処理装置において、未完了ジョブと完了ジョブとを同時に表示させることができるので、画像処理装置１に蓄積されたジョブの実行状況をリアルタイムに一度に確認することができる。特に、ＦＡＸの同報送信のように一つの画像情報に対して複数の送信先を指定した際には、既に送信済みの送信先とまだ送信されていない送信先とを同時に確認することができるため、有効である。さらに、ジョブの実行を失敗しリトライする際に、その旨をリアルタイムに確認することができる。
【００６２】
続いて、図４のＳ３の未完了ジョブの順序変更処理について図７、図１６、１７を参照して説明する。図７は、未完了ジョブの順序変更処理を示すフローチャートである。図１６は、図１５のジョブの実行状況から一定時間経過したときの液晶表示部４１の表示画面である。図１７は、ジョブの実行順序を変更した後の液晶表示部４１の表示画面である。
【００６３】
図１６の未完了ジョブの一覧に示すように「２  ＦＡＸ  再２  江川○」が不達のせいで他の未完了ジョブの実行が滞っているとき、ユーザが他の未完了ジョブを「２  ＦＡＸ  再２  江川○」よりも先に処理したいと望むと、ユーザはカーソルキー４０Ｂを押下してカーソルを「２  ＦＡＸ  再２  江川○」まで移動させる（図７、Ｓ５１）。
【００６４】
次にＣＰＵ２１は、決定キー４０Ｆが押下されたか否かを判断する（Ｓ５２）。ＣＰＵ２１は、決定キー４０Ｆが押下されていないと判断すると（Ｓ５２，ｎｏ）、未完了ジョブを選択する処理まで戻り（Ｓ５１）、決定キー４０Ｆが押下されたと判断すると（Ｓ５２，ｙｅｓ）、ＣＰＵ２１は、ＬＣＤコントローラ２８を駆動させて「２  ＦＡＸ  再２  江川○」の表示を反転させたり、図１６のように地の色を変更したりして、「２  ＦＡＸ  再２  江川○」が選択されたことを表示する（Ｓ５３）。
【００６５】
続いて、ユーザはカーソルキー４０Ｂを押下して「２  ＦＡＸ  再２  江川○」を未完了ジョブの実行順序の最後まで移動させ、挿入位置を選択する（Ｓ５４）。その後、ＣＰＵ２１は、決定キー４０Ｆが押下されたか否かを判断する（Ｓ５５）。ＣＰＵ２１は、決定キー４０Ｆが押下されていないと判断すると（Ｓ５５，ｎｏ）挿入位置の指定まで戻り（Ｓ５４）、押下されたと判断すると（Ｓ５５，ｙｅｓ）、ジョブの変更順序を確定する。このとき、ＣＰＵ２１は、ＬＣＤコントローラ２８を駆動させて図１７に示すように「２  ＦＡＸ  再２  江川○」を未完了ジョブの表示欄の最下位に表示させるとともに、地色変更表示を終了させる。同時に、その他の未完了ジョブの順位を一つずつ繰り上げて表示させ（Ｓ５６）、未完了ジョブの順序変更処理を終了して図４に示す処理に戻る。
【００６６】
このように、本実施形態では未完了ジョブと完了ジョブとを同時に表示させた状態で、未完了ジョブの順序を変更させることができるので、完了ジョブを参照してジョブの実行状況を確認しながら未完了ジョブの実行する順序を変更することができる。特に、本実施形態の加賀▼▼、安藤○○、電気店  瑞穂店、○○庵宛てのＦＡＸの同報送信のように、優先して実行したいジョブが複数ある際に、その複数ジョブのうちの加賀▼▼に対するＦＡＸ送信が完了したことを確認しながら、残りの未完了ジョブの順序を優先させることができる。
【００６７】
続いて、図４のＳ５の未完了ジョブの中止処理について図８、図１８、図１９を参照して説明する。図８は、未完了ジョブの中止処理を示すフローチャートである。図１８は、実行を中止するジョブを選択した後の液晶表示部４１の表示画面である。図１９は、実行を中止した後の液晶表示部４１の表示画面である。
【００６８】
例えば、図１７に示す液晶表示部４１の表示画面において、ユーザが実行中のＦＡＸのジョブの原稿が間違っていると気づき、未完了ジョブの一覧に示す実行中の「１  ＦＡＸ  安藤○○」と同一の原稿データを持つ「２  ＦＡＸ  電気店  瑞穂店」および「３  ＦＡＸ  ○○庵」の実行を中止したいと望むと、ユーザはカーソルキー４０Ｂを押下して、「２  ＦＡＸ  電気店  瑞穂店」までカーソルを移動し、中止させたい未完了ジョブを選択する（図８、Ｓ６１）。
【００６９】
その後ＣＰＵ２１は決定キー４０Ｆが押下されたか否かを判断する（Ｓ６２）。ＣＰＵ２１は、決定キー４０Ｆが押下されていないと判断すると（Ｓ６２，ｎｏ）、未完了ジョブの選択（Ｓ６１）に戻る。一方、ＣＰＵ２１は、決定キー４０Ｆが押下されたと判断すると（Ｓ６２．ｙｅｓ）、ＬＣＤコントローラ２８を駆動させて「２  ＦＡＸ  電気店  瑞穂店」の表示を反転させたり、図１７のように地の色を変更したりして、ジョブが選択されたことを表示する（Ｓ６３）。
【００７０】
その後、ＣＰＵ２１は停止/終了キー４０Ｃが押下されたか否かを判断する（Ｓ６４）。ＣＰＵ２１は停止/終了キー４０Ｃが押下されていないと判断すると（Ｓ６４，ｎｏ）、停止/終了キー４０Ｃが押下されたか否かの判断を繰り返す（Ｓ６４）。一方、ＣＰＵ２１が、停止/終了キー４０Ｃが押下されたと判断すると（Ｓ６４，ｙｅｓ）、ＣＰＵ２１は、未完了ジョブ記憶部２３Ａから「２  ＦＡＸ  電気店  瑞穂店」を削除するとともに、ＬＣＤコントローラ２８を駆動して図１９に示すようにジョブを削除させる。同時に、残りの未完了ジョブの順位を繰り上げて表示させ（Ｓ６５）、未完了ジョブ中止処理を終了して図４に示す処理に戻る。
【００７１】
このように、本実施形態では未完了ジョブと完了ジョブとを同時に表示させた状態で、未完了ジョブの実行を中止させることができるので、ジョブを完了してしまった出力先と未完了の出力先とを確認しながら、未完了ジョブの実行を停止することができる。従って、前回入力した画像情報を廃棄等し、新たな画像情報を再度出力する場合、すみやかに再度出力する出力先の指定を行うことができる。
【００７２】
次に、図４のＳ７のＦＡＸの再送処理について、図９、図２０、図２１を参照して説明する。図９は、ＦＡＸの完了ジョブの再送処理を示すフローチャートである。図２０は、再送させるＦＡＸの完了ジョブを選択した後の液晶表示部４１の表示画面である。図２１は、ＦＡＸの完了ジョブの再送を指定した後の液晶表示部４１の表示画面である。
【００７３】
例えば、図１９に示す液晶表示部４１の表示画面において、ユーザが完了ジョブの一覧に示す「５  ＦＡＸ  ＯＫ  加賀▼▼」の原稿が間違っていると気づき、その旨を送信先に伝えたいと望んだとき、ユーザはカーソルキー４０Ｂを押下して、完了したＦＡＸの送信先を選択する（図９、Ｓ７１）。その後、ＣＰＵ２１は決定キー４０Ｆが押下されたか否かを判断する（Ｓ７２）。ＣＰＵ２１は、決定キー４０Ｆが押下されていないと判断すると（Ｓ７２，ｎｏ）、完了ジョブの選択へ戻る（Ｓ７１）。一方、決定キー４０Ｆが押下されたと判断すると（Ｓ７２，ｙｅｓ）、ＣＰＵ２１は、ＬＣＤコントローラ２８を駆動させて図２０に示すように「５  ＦＡＸ  ＯＫ  加賀▼▼」の地色表示を変更させる（Ｓ７３）。
【００７４】
続いて、ＣＰＵ２１は、スタートキー４０Ｄを押下されたか否かを判断する（Ｓ７４）。押下されたと判断すると（Ｓ７４，ｙｅｓ）、ＣＰＵ２１は、前回のＦＡＸ送信が間違いであったことを示す情報を付加する（Ｓ７５）。これには、前回のＦＡＸ原稿は間違いであり、送信先に原稿の廃棄を促す主旨の情報が含まれている。この情報は、予めデフォルトとしてＲＡＭ２３に記憶されていてもよいし、ユーザが情報の内容を設定してＲＡＭ２３に記憶させてもよい。一方、スタートキー４０Ｄが押下されない場合は（Ｓ７４，ｎｏ）、スタートキー４０Ｄを押下されたか否かの判断を繰り返す（Ｓ７４）。
【００７５】
次に、ＣＰＵ２１は、前述したＦＡＸの再送ジョブを未完了ジョブ記憶部２３Ａに記憶させ、ＬＣＤコントローラ２８を駆動して、図２１のように未完了ジョブの一覧に示す現在実行中のジョブの次にＦＡＸの再送ジョブを表示させ（Ｓ７６）、ＦＡＸ再送処理を終了して図４に示す処理に戻る。
【００７６】
このように、本実施形態では未完了ジョブと完了ジョブとを同時に表示させた状態で、完了ＦＡＸジョブを再送させることができるので、再送されたジョブの記録情報を入手した者は、前回実行されたジョブの情報が間違いであることを認識でき、前回実行されたジョブの記録情報をすみやかに廃棄等することができる。
【００７７】
また、前述した未完了ジョブの中止処理と組み合わせることによって、ユーザは、ＦＡＸの完了ジョブに対する再送の指示を行うと同時にＦＡＸの未完了ジョブに対する実行中止の指示を同一の画面で行うことができ、作業効率の向上という点で極めて有効である。
【００７８】
以上実施形態に基づき本発明を説明したが、本発明は上記実施形態に何ら限定されるものでなく、本発明の趣旨を逸脱しない範囲内で種々の改良変形が可能であることは容易に推察できるものである。例えば、本実施形態では、特にＦＡＸの同報送信についてジョブの順序変更、ジョブの中止、ジョブの再実行等を行ったが、これに限られるものではなく、コピージョブ、スキャナジョブについても同様に行うことができる。また、ジョブの順序変更、ジョブの中止、ジョブの再実行等のユーザの操作は、本実施形態に限られることはなく、ジョブの順序変更ボタン、ジョブの中止ボタン、ジョブの再実行ボタン等を新たに操作パネル４に設け、それらを押下することで、ジョブの実行順序変更、ジョブの実行中止、ジョブの再実行を指定してもよい。
【図面の簡単な説明】
【００７９】
【図１】本発明の画像処理装置１の外観構成を示す斜視図である。
【図２】操作パネル４の構成を示す平面図である。
【図３】本発明の実施形態に係る画像処理装置１の制御部２０の構成を示す図である。
【図４】本発明のジョブ処理プログラム５０の全体の処理を示すフローチャートである。
【図５】ジョブの受付処理を示すフローチャートである。
【図６】ＦＡＸの送信先受付処理を示すフローチャートである。
【図７】未完了ジョブの順序変更処理を示すフローチャートである。
【図８】未完了ジョブの中止処理を示すフローチャートである。
【図９】ＦＡＸの完了ジョブの再送処理を示すフローチャートである。
【図１０】未完了ジョブの実行処理を示すフローチャートである。
【図１１】電話帳データからＦＡＸの送信先を選択する際の液晶表示部４１の表示画面である。
【図１２】電話帳データからＦＡＸの送信先を選択した後の液晶表示部４１の表示画面である。
【図１３】電話帳データから複数のＦＡＸの送信先を選択した後の液晶表示部４１の表示画面である。
【図１４】未完了ジョブと完了ジョブを同時に表示させた液晶表示部４１の表示画面である。
【図１５】ジョブ実行処理時の液晶表示部４１の表示画面である。
【図１６】実行順序を変更するジョブを選択した液晶表示部４１の表示画面である。
【図１７】ジョブの実行順序を変更した後の液晶表示部４１の表示画面である。
【図１８】実行を中止するジョブを選択した後の液晶表示部４１の表示画面である。
【図１９】実行を中止した後の液晶表示部４１の表示画面である。
【図２０】再送させるＦＡＸの完了ジョブを選択した後の液晶表示部４１の表示画面である。
【図２１】ＦＡＸの完了ジョブの再送を指定した後の液晶表示部４１の表示画面である。
【符号の説明】
【００８０】
１      画像処理装置
４      操作パネル部
２１    ＣＰＵ
２３    ＲＡＭ
２３Ａ  未完了ジョブ記憶部
２３Ｂ  完了ジョブ記憶部
２３Ｃ  出力先記憶部
４０    操作キー
４０Ａ  モードキー
４０Ｂ  カーソルキー
４０Ｃ  停止/終了キー
４０Ｄ  スタートキー
４０Ｅ  クリア/バックキー
４０Ｆ  決定キー
４０Ｇ  テンキー
４１    液晶表示部
【図１】
2008160813.tif 000003
【図２】
2008160813.tif 000004
【図３】
2008160813.tif 000005
【図４】
2008160813.tif 000006
【図５】
2008160813.tif 000007
【図６】
2008160813.tif 000008
【図７】
2008160813.tif 000009
【図８】
2008160813.tif 000010
【図９】
2008160813.tif 000011
【図１０】
2008160813.tif 000012
【図１１】
2008160813.tif 000013
【図１２】
2008160813.tif 000014
【図１３】
2008160813.tif 000015
【図１４】
2008160813.tif 000016
【図１５】
2008160813.tif 000017
【図１６】
2008160813.tif 000018
【図１７】
2008160813.tif 000019
【図１８】
2008160813.tif 000020
【図１９】
2008160813.tif 000021
【図２０】
2008160813.tif 000022
【図２１】
2008160813.tif 000023